(57)【要約】      （修正有）【課題】複数の電気機器モジュールを結合して配置板上に迅速に装着固定することができる挟持固定部材を提供する。【解決手段】挟持固定部材は、少なくとも２つの電気機器モジュール３、少なくとも１つの上挟持固定部材４及び少なくとも１つの下挟持固定部材５を含む。電気機器モジュール３は、上面の両側及び底面の両側に、左上結合孔３３と右上結合孔３４と左下結合孔３５と右下結合孔３６とが設けられる。また、各電気機器モジュール３は、並列設置される。上挟持固定部材４は、２つの隣り合う電気機器モジュール３の近接する左上結合孔３３内及び右上結合孔３４内に貫設される。下挟持固定部材５は、２つの隣り合う電気機器モジュール３の近接する左下結合孔３５内及び右上結合孔３６内に貫設される。【選択図】図３
0003187190.tif 000002
【実用新案登録請求の範囲】
【請求項１】
少なくとも２つの電気機器モジュール、少なくとも１つの上挟持固定部材及び少なくとも１つの下挟持固定部材を備える挟持固定部材であって、
前記電気機器モジュールの上面の両側には、左上結合孔と右上結合孔とが設けられ、前記電気機器モジュールの底面の両側には、左下結合孔と右下結合孔とが設けられ、前記各電気機器モジュールは、並列設置され、任意の２つの隣り合う前記電気機器モジュール間において、前記左上結合孔と前記右上結合孔とが近接し、前記左下結合孔と前記右下結合孔とが近接し、
前記上挟持固定部材は、前記２つの隣り合う電気機器モジュールの近接する前記左上結合孔内及び前記右上結合孔内に貫設され、
前記下挟持固定部材は、前記２つの隣り合う電気機器モジュールの近接する前記左下結合孔内及び前記右下結合孔内に貫設されることを特徴とする挟持固定部材。
【請求項２】
前記上挟持固定部材は、平面状の上本体を有し、前記上本体の両側は、下方に延伸する第１の挟持アームをそれぞれ有し、前記第１の挟持アームの末端には、第１の係合部が設けられ、前記第１の係合部の幅は、前記第１の挟持アームの幅より大きく、
前記下挟持固定部材は、平面状の下本体を有し、前記下本体の両側は、上方に延伸する第２の挟持アームをそれぞれ有し、前記第２の挟持アームの末端には、第２の係合部が設けられ、前記第２の係合部の幅は、前記第２の挟持アームの幅より大きいことを特徴とする請求項１に記載の挟持固定部材。
【請求項３】
前記各結合孔は、側孔をさらに有し、前記側孔は、前記電気機器モジュールの側面に設置され、前記各結合孔は、前記側孔に連通し、前記上挟持固定部材の２つの第１の挟持アームの第１の係合部は、近接する前記左上結合孔の側孔と前記右上結合孔の側孔とに係合され、前記下挟持固定部材の２つの第２の挟持アームの第２の係合部は、近接する前記左下結合孔の側孔と前記右下結合孔の側孔とに係合されることを特徴とする請求項２に記載の挟持固定部材。
【考案の詳細な説明】
【技術分野】
【０００１】
本考案は、挟持固定部材に関し、特に、複数の電気機器を配置板に迅速に装着することができる挟持固定部材に関する。
【背景技術】
【０００２】
工業の自動制御又は電気機器の制御の領域においては、各種の電気機器モジュールによって設備機器が制御される。図１に示す電気機器モジュール１は、一般の、継電器、計数器、モータコントローラ、プログラマブルロジックコントローラ（ＰＬＣ）、インバータ（Inverter）などの電気機器制御装置である。電気機器モジュール１の背面には、係合固定ブロック１１及び位置決め部材係合溝１２が設けられる。また、位置決め部材１５が位置決め部材係合溝１２内にスライド可能に装着される。位置決め部材１５の前端は、可動係合ブロック１５１を有する。これにより、図２に示すように、作業員が位置決め部材１５の位置を移動させることにより、位置決め部材１５の可動係合ブロック１５１を配置板２上のアルミレール２１に挟持し、電気機器モジュール１を配置板２上に装着固定することができる。
【０００３】
従来の電気機器モジュール１は、位置決め部材１５により、配置板２上に装着固定することができる。しかし、一般に、配置板２上には、複数の電気機器モジュール１が装着されるにも関わらず、従来の電気機器モジュール１の構造のために、一度に１つの電気機器モジュール１しか装着できない。また、取り外す場合も一度に１つの電気機器モジュール１しか取り外すことができない。従って、一度に複数の電気機器モジュール１を装着する必要がある場合、時間がかかり、作業効率が低下する。そこで、上述の欠点を解決することができる構造が求められていた。
【先行技術文献】
【特許文献】
【０００４】
【特許文献１】特開２０１０−２１２３１２号公報
【考案の概要】
【考案が解決しようとする課題】
【０００５】
本考案の目的は、従来の電気機器モジュールの構造における、配置板上に一度に複数の電気機器モジュールを装着できないために、時間がかかり、作業効率が低下する問題を解決することができる挟持固定部材を提供することにある。
【課題を解決するための手段】
【０００６】
上述の課題を解決するために、本考案の挟持固定部材は、少なくとも２つの電気機器モジュール、少なくとも１つの上挟持固定部材及び少なくとも１つの下挟持固定部材を含む。電気機器モジュールは、上面の両側及び底面の両側に、左上結合孔と右上結合孔と左下結合孔と右下結合孔とが設けられる。また、各電気機器モジュールは、並列設置される。上挟持固定部材は、２つの隣り合う電気機器モジュールの近接する左上結合孔内及び右上結合孔内に貫設される。下挟持固定部材は、２つの隣り合う電気機器モジュールの近接する左下結合孔内及び右下結合孔内に貫設される。
【考案の効果】
【０００７】
本考案の挟持固定部材によれば、電気機器モジュールに、各結合孔と、各結合孔に組み合わされる上挟持固定部材及び下挟持固定部材とが設けられることにより、複数の電気機器モジュールを結合し、配置板上に各電気機器モジュールを迅速に装着固定することができるため、作業時間を大幅に短縮することができる。
【図面の簡単な説明】
【０００８】
【図１】従来の電気機器モジュールに位置決め部材を結合した状態を示す斜視図である。
【図２】従来の電気機器モジュールを配置板上に固定した状態を示す斜視図である。
【図３】本考案の挟持固定部材を示す分解斜視図である。
【図４】本考案の上挟持固定部材により、隣り合う電気機器モジュールが挟持固定された状態を示す斜視断面図である。
【図５】本考案により、２つの電気機器モジュールが組み合わされた状態を示す斜視図である。
【図６】本考案によって組み合わされた２つの電気機器モジュールが配置板上に設置された状態を示す斜視図である。
【考案を実施するための形態】
【０００９】
本考案の挟持固定部材の実施例を図面を参照して説明する。
図３及び図４を参照して説明すると、図３及び図４に示すように、本考案は、挟持固定部材を提供するものであり、本考案の挟持固定部材は、少なくとも２つの電気機器モジュール３、少なくとも１つの上挟持固定部材４及び少なくとも１つの下挟持固定部材５を含む。
【００１０】
電気機器モジュール３は、継電器、計数器、モータコントローラ、プログラマブルロジックコントローラ（ＰＬＣ）、インバータ（Inverter）などの電気機器制御装置である。また、各電気機器モジュール３は、同一又は異なる電気機器制御装置である。電気機器モジュール３の背面には、位置決め部材係合溝３２が設けられる。
これにより、図６に示すように、位置決め部材係合溝３２に外付けの位置決め部材６が結合される。ここで、電気機器モジュール３及び位置決め部材係合溝３２の他の細部構造は、何れも従来技術であり、本考案の技術特徴を示すものではないため、ここでは説明しない。電気機器モジュール３の上面の両側には、左上結合孔３３と右上結合孔３４とが設けられ、電気機器モジュール３の底面の両側には、左下結合孔３５と右下結合孔３６とが設けられる。
左上結合孔３３の位置と右上結合孔３４の位置とは、互いに対応し、左下結合孔３５の位置と右下結合孔３６の位置とは、互いに対応する。また、各結合孔は、側孔３７をさらに含む。側孔３７は、電気機器モジュール３の側面に設置され、各結合孔は、側孔３７に連通する。また、各電気機器モジュール３は、並列設置される。これにより、図４に示すように、任意の２つの隣り合う電気機器モジュール３間において、左上結合孔３３と右上結合孔３４とが近接し、左下結合孔３５と右下結合孔３６とが近接する。
【００１１】
図４に示すように、上挟持固定部材４は、２つの隣り合う電気機器モジュール３の近接する左上結合孔３３内及び右上結合孔３４内に貫設される。上挟持固定部材４は、平面状の上本体４１を有する。上本体４１の両側は、下方に延伸する第１の挟持アーム４２をそれぞれ有する。このため、上挟持固定部材４の側面は、逆Ｕ字状を呈する。第１の挟持アーム４２の末端には、第１の係合部４２１が設けられる。第１の係合部４２１は、凸ブロックであり、第１の係合部４２１の幅は、第１の挟持アーム４２の幅より大きい。また、第１の挟持アーム４２は、弾性構造である。
これにより、上挟持固定部材４の２つの第１の挟持アーム４２は、２つの隣り合う電気機器モジュール３の上半部を挟持固定する。また、上挟持固定部材４の２つの第１の挟持アーム４２の第１の係合部４２１は、近接する左上結合孔３３の側孔３７と右上結合孔３４の側孔３７とに係合され、図４に示すように、好適な挟持固定効果が実現される。
【００１２】
下挟持固定部材５は、２つの隣り合う電気機器モジュール３の近接する左下結合孔３５内及び右下結合孔３６内に貫設される。下挟持固定部材５は、平面状の下本体５１を有する。下本体５１の両側は、上方に延伸する第２の挟持アーム５２をそれぞれ有する。このため、下挟持固定部材５の側面は、Ｕ字状を呈する。第２の挟持アーム５２の末端には、第２の係合部５２１が設けられる。
第２の係合部５２１は、凸ブロックであり、第２の係合部５２１の幅は、第２の挟持アーム５２の幅より大きい。また、第２の挟持アーム５２は、弾性構造である。これにより、下挟持固定部材５の２つの第２の挟持アーム５２は、２つの隣り合う電気機器モジュール３の下半部を挟持固定する。また、下挟持固定部材５の２つの第２の挟持アーム５２の第２の係合部５２１は、近接する左下結合孔３５の側孔３７と右下結合孔３６の側孔３７とに係合される。
【００１３】
図３及び図５に示すように、本考案の実施例は、上挟持固定部材４及び下挟持固定部材５が設けられる上、電気機器モジュール３の上面両側に、左上結合孔３３と右上結合孔３４とが設けられ、電気機器モジュール３の底面両側に、左下結合孔３５と右下結合孔３６とが設けられることにより、各電気機器モジュール３を並列配置した際、上挟持固定部材４及び下挟持固定部材５により、隣り合う２つの電気機器モジュール３を挟持固定することができる。
これにより、図６に示すように、複数の電気機器モジュール３を結合して固定することができる。このため、配置板７上に各電気機器モジュール３を装着固定したい場合、１つの電気機器モジュール３の位置決め部材係合溝３２中に位置決め部材６を装着すれば、結合された全ての電気機器モジュール３を配置板７のアルミレール７１上に一度に装着固定することができる。
これにより、電気機器モジュール３を装着する作業にかかる時間を大幅に短縮することができる。また、上挟持固定部材４の上本体４１又は下挟持固定部材５の下本体５１は、平面状である上、電気機器モジュール３に各結合孔が設けられるため、上挟持固定部材４又は下挟持固定部材５を電気機器モジュール３の各結合孔内に貫設した際、電気機器モジュール３の表面と共平面となり、突出しない。このため、電気機器モジュール３の体積が増大したり、空間が占有されたりしないため、装着作業の邪魔になったり、設置空間に符合しなくなったりするのを防止することができ、製品の実用性及び利便性を高めることができる。
【符号の説明】
【００１４】
１  電気機器モジュール
１１  係合固定ブロック
１２  位置決め部材係合溝
１５  位置決め部材
１５１  可動係合ブロック
２  配置板
２１  アルミレール
３  電気機器モジュール
３２  位置決め部材係合溝
３３  左上結合孔
３４  右上結合孔
３５  左下結合孔
３６  右下結合孔
３７  側孔
４  上挟持固定部材
４１  上本体
４２  第１の挟持アーム
４２１  第１の係合部
５  下挟持固定部材
５１  下本体
５２  第２の挟持アーム
５２１  第２の係合部
６  位置決め部材
７  配置板
７１  アルミレール
【図１】
0003187190.tif 000003
【図２】
0003187190.tif 000004
【図３】
0003187190.tif 000005
【図４】
0003187190.tif 000006
【図５】
0003187190.tif 000007
【図６】
0003187190.tif 000008